(57)【要約】【課題】一定距離以上かつ一定回数以上の指の接触状態を判定することで、指移動量に対するポインタ移動量を変化させることができる座標入力装置および座標入力方法を提供する。【解決手段】指の接触状態および接触領域を検出する座標入力部と、前記接触状態が一定距離以上かつ一定回数以上か否かを判定する判定部と、前記接触領域に基づいて位置座標を決定する位置決定部と、前記判定部の判定結果に基づいて速度係数を算出する速度制御部と、前記位置座標と前記速度係数に基づいてポインタの座標を演算する演算部とを備えた構成をとる。【選択図】図１
2011191983.tif 000002
【特許請求の範囲】
【請求項１】
指の接触状態および接触領域を検出する座標入力部と、前記接触状態が一定距離以上かつ一定回数以上か否かを判定する判定部と、前記接触領域に基づいて位置座標を決定する位置決定部と、前記判定部の判定結果に基づいて速度係数を算出する速度制御部と、前記位置座標と前記速度係数に基づいてポインタの座標を演算する演算部と、を具備する座標入力装置。
【請求項２】
前記判定部では、前記接触状態の位置が一定範囲内か否かを判定する請求項１に記載の座標入力装置。
【請求項３】
前記判定部では、前記接触状態の周期が一定時間内か否かを判定する請求項１または請求項２に記載の座標入力装置。
【請求項４】
指の接触状態および接触領域を検出する座標入力ステップと、前記接触状態が一定距離以上かつ一定回数以上か否かを判定する判定ステップと、前記接触状態に基づいて位置座標を決定する位置決定ステップと、前記判定部の判定結果に基づいて速度係数を算出する速度制御ステップと、前記位置座標と前記速度係数に基づいてポインタの座標を演算する演算ステップと、からなる座標入力方法。
【発明の詳細な説明】
【技術分野】
【０００１】
本発明は、ポインティング操作に関する座標入力装置および座標入力方法であって、特に、一定距離以上かつ一定回数以上の指の接触状態を判定することで、ポインタ移動量の調整を行うことができる座標入力装置および座標入力方法に関するものである。
【背景技術】
【０００２】
近年、タッチパッドを搭載した電子機器が多く利用されている。しかし、ポインティングデバイスの操作において、指の移動量に対して画面に表示されるポインタの移動量が大きいと、ユーザが微小にポインタを移動させることが困難である。一方、指の移動量に対して画面に表示されるポインタの移動量が小さいと、ユーザが大きくポインタを移動するときの操作量が増加してしまうという問題があった。
【０００３】
このような指の移動量に対するポインタの移動量を変化させる方法として、特許文献１には、押圧力を変えることにより、同じ指の速度でもスクロール速度を変更することのできるスクロール制御装置が開示されている。この特許文献１では、押圧操作量を検出する押圧操作量検出手段を備えて、押圧操作量検出手段からの検出信号に基づいてスクロール速度を制御するものである。
【０００４】
また特許文献２には、所定の領域に触れることでポインタ移動速度を切り替えることのできるポインタ移動速度切替方法が開示されている。
【先行技術文献】
【特許文献】
【０００５】
【特許文献１】特開２００２−２１３９８９号公報
【特許文献２】特開２００２−２４４８０９号公報
【発明の概要】
【発明が解決しようとする課題】
【０００６】
しかしながら、前記従来の構成では、指の移動量に対するポインタの移動量を変更できるものの、特許文献１の技術では、ユーザは指の移動量に対するポインタの移動量を変更するために、押圧力を変える必要があるという問題がある。一方、特許文献２の技術では、所定の領域を通らないと移動速度を変えることができないため、任意の場所で移動速度を変えることができないという問題がある。
【０００７】
本発明は、前記従来の課題に鑑みてなされたものであり、その目的は、ユーザが操作状況に応じて一定距離以上かつ一定回数以上の指の接触状態を判定することで、指移動量に対するポインタ移動量を変化させることができる座標入力装置および座標入力方法を提供することにある。
【課題を解決するための手段】
【０００８】
前記従来の課題を解決するために、本発明の座標入力装置は、指の接触状態および接触領域を検出する座標入力部と、前記接触状態が一定距離以上かつ一定回数以上か否かを判定する判定部と、前記接触領域に基づいて位置座標を決定する位置決定部と、前記判定部の判定結果に基づいて速度係数を算出する速度制御部と、前記位置座標と前記速度係数に基づいてポインタの座標を演算する演算部とを備えた構成を有している。
【発明の効果】
【０００９】
前記構成により、ユーザが操作状況に応じて一定距離以上かつ一定回数以上の指の接触状態を判定することで、指移動量に対するポインタ移動量を変化させることが可能となり、操作性、利便性を向上させることができる。
【図面の簡単な説明】
【００１０】
【図１】本発明の座標入力装置の構成図
【図２】本発明の第一の実施の形態における座標入力装置の動作を説明するフローチャート
【図３】本発明の第一の実施の形態における指の動作例を示す図
【図４】本発明の第二の実施の形態における座標入力装置の動作を説明するフローチャート
【図５】本発明の第二の実施の形態における指の動作例を示す図
【図６】本発明の第三の実施の形態における座標入力装置の動作を説明するフローチャート
【図７】本発明の第三の実施の形態における指の動作例を示す図
【図８】ポインティングデバイスにおける指の接触状態の検出例を示す図
【図９】感圧式ポインティングデバイスにおける指の接触状態の検出例を示す図
【図１０】静電式ポインティングデバイスにおける指の接触状態の検出例を示す図
【発明を実施するための形態】
【００１１】
（実施の形態１）本発明の第一の実施の形態について図面を用いて詳細に説明する。図１は、本実施の形態における座標入力装置の構成図、図２は、座標入力装置の動作を説明するフローチャート、図３は、本実施の形態における指の動作例を示す図である。
【００１２】
図１に示すように、座標入力装置は、座標入力部１と、判定部２と、位置決定部３と、速度制御部４と、演算部５と、表示部６とから構成される。座標入力部１は、指の接触状態および接触領域を検出する。判定部２は、検出された接触状態が一定距離以上かつ一定回数以上かどうかを判定する。位置決定部３は、検出された接触領域に基づいて位置座標を決定する。速度制御部４は、判定部２の判定結果に基づいて速度係数を算出する。演算部５は、位置座標、速度係数に基づいて表示部６におけるポインタの座標を演算する。表示部６は、画面表示装置であり、液晶ディスプレイや、タッチパネルの表示装置、有機ＥＬディスプレイなどで構成される。利用者はこの画像表示装置を視認することによって、ポインタを操作することができる。
【００１３】
次に、本実施の形態の動作を、図２のフローチャートを用いて説明する。指のＯＮ／ＯＦＦ発生ステップ（Ｓ１０１）では、判定部２において、指の接触状態のＯＮ状態からＯＦＦ状態、もしくはＯＦＦ状態からＯＮ状態への切り替わりを判定する。この接触状態の切り替わり（ＯＮ／ＯＦＦ）を判定する具体例について図８から図１０を用いて説明する。図８から図１０は、座標入力部１で検出する指の接触状態が、ＯＮ状態であるかＯＦＦ状態であるかを示す図である。
【００１４】
図８の例では、座標入力部１は、静電式、感圧式、光学式などの指が接触しているか否かを検出することができるポインティングデバイスであり、指が接触している場合がＯＮ状態、指が接触していない場合はＯＦＦ状態である。この検出結果により、判定部２において指のＯＮ／ＯＦＦを判定する。
【００１５】
図９の例では、座標入力部１は、指の圧力値を検出することができる感圧式ポインティングデバイスであり、指の圧力が大きい場合がＯＮ状態、指の圧力が小さい場合がＯＦＦ状態である。この検出結果により、判定部２において指のＯＮ／ＯＦＦを判定する。
【００１６】
図１０の例では、座標入力部１は、指の接触面積の大きさを検出することができる静電式ポインティングデバイスであり、指の接触面積が大きい場合がＯＮ状態、指の接触面積が小さい場合がＯＦＦ状態である。この検出結果により、判定部２において指のＯＮ／ＯＦＦを判定する。
【００１７】
判定部２において指のＯＮ／ＯＦＦを判定すると、移動距離が一定値以上ステップ（Ｓ１０２）に進む。ステップＳ１０２では、判定部２において指の移動距離が一定値以上であるかどうかを判定する。指の移動距離が一定値以上でない場合は、指のＯＮ／ＯＦＦ回数リセットステップ（Ｓ１０４）に進み、ステップＳ１０４では指のＯＮ／ＯＦＦ回数を０回にリセットする。一方、指の移動距離が一定値以上である場合は、指のＯＮ／ＯＦＦ回数カウントアップステップ（Ｓ１０３）に進み、ステップＳ１０３では指のＯＮ／ＯＦＦ回数をカウントアップし、指のＯＮ／ＯＦＦ回数が一定値以上ステップ（Ｓ１０５）に進む。
【００１８】
ステップＳ１０５では、判定部２において、指のＯＮ／ＯＦＦ回数が一定値以上であるかどうかを判定する。指のＯＮ／ＯＦＦ回数が一定値以上でない場合には、ステップＳ１０１に戻り、指のＯＮ／ＯＦＦ回数が一定値以上である場合には、指移動量に対するポインタ移動量を変更ステップ（Ｓ１０６）に進む。
【００１９】
ステップ１０６では、判定部２において、一定距離以上かつ一定回数以上の指のＯＮ／ＯＦＦを判定することにより、速度制御部４で速度係数を算出し、指移動量に対するポインタ移動量を変更する。速度制御部４で算出される速度係数の値は、指のＯＮ／ＯＦＦ回数によって変更することもできる。
【００２０】
以上の動作により、指のＯＮ／ＯＦＦに応じて、指移動量に対するポインタ移動量を変化させることが可能となる。
【００２１】
（実施の形態２）本発明の第二の実施の形態について図面を用いて詳細に説明する。図１は本実施の形態における座標入力装置の構成図、図４は、本実施の形態における座標入力装置の動作を説明するフローチャート、図５は、本実施の形態における指の動作例を示す図である。本実施の形態における座標入力装置の構成は、前記第一の実施の形態と同様である。
【００２２】
本実施の形態の動作を、図４のフローチャートを用いて説明する。指のＯＮ／ＯＦＦ発生ステップ（Ｓ２０１）では、判定部２において、指の接触状態のＯＮ状態からＯＦＦ状態、もしくはＯＦＦ状態からＯＮ状態への切り替わり（ＯＮ／ＯＦＦ）を判定する。判定部２において指のＯＮ／ＯＦＦを判定すると、指のＯＮ／ＯＦＦ位置が一定範囲内ステップ（Ｓ２０２）に進む。ステップＳ２０２では、判定部２において、指のＯＮ／ＯＦＦ位置が一定範囲内であるかどうかを判定する。指のＯＮ／ＯＦＦ位置が一定範囲内でない場合は、指のＯＮ／ＯＦＦ回数リセットステップ（Ｓ２０５）に進み、ステップＳ２０５では指のＯＮ／ＯＦＦ回数を０回にリセットする。一方、指のＯＮ／ＯＦＦ位置が一定範囲内である場合は、移動距離が一定値以上ステップ（Ｓ２０３）に進む。
【００２３】
ステップＳ２０３では、判定部２において指の移動距離が一定値以上であるかどうかを判定する。指の移動距離が一定値以上でない場合はステップＳ２０５に進み、ステップＳ２０５では指のＯＮ／ＯＦＦ回数を０回にリセットする。一方、指の移動距離が一定値以上である場合は、指のＯＮ／ＯＦＦ回数カウントアップステップ（Ｓ２０４）に進み、ステップＳ２０４では指のＯＮ／ＯＦＦ回数をカウントアップし、指のＯＮ／ＯＦＦ回数が一定値以上ステップ（Ｓ２０６）に進む。
【００２４】
ステップＳ２０６では、判定部２において、指のＯＮ／ＯＦＦ回数が一定値以上であるかどうかを判定する。指のＯＮ／ＯＦＦ回数が一定値以上でない場合は、ステップＳ２０１に戻り、指のＯＮ／ＯＦＦ回数が一定値以上である場合は、指移動量に対するポインタ移動量を変更ステップ（Ｓ２０７）に進む。
【００２５】
ステップＳ２０７では、判定部２において、一定距離以上かつ一定回数以上の指のＯＮ／ＯＦＦを判定することにより、速度制御部４で速度係数を算出し、指移動量に対するポインタ移動量を変更する。速度制御部４で算出される速度係数の値は、指のＯＮ／ＯＦＦ回数によって変更することもできる。
【００２６】
本実施の形態によれば、前記第一の実施の形態の効果に加えて、ユーザの指のＯＮ／ＯＦＦ位置が一定範囲内の場合においてのみ、指移動量に対するポインタ移動量を変更することが可能となる。そのため、ユーザは指のＯＮ／ＯＦＦ位置を一定範囲の領域から外すことにより、指移動量に対するポインタ移動量を前の状態に戻すことができる。
【００２７】
（実施の形態３）本発明の第三の実施の形態について図面を用いて詳細に説明する。図１は本実施の形態における座標入力装置の構成図、図６は、本実施の形態における座標入力装置の動作を説明するフローチャート、図７は、本実施の形態における指の動作例を示す図である。本実施の形態における座標入力装置の構成は、前記第一の実施の形態と同様である。
【００２８】
本実施の形態の動作を、図６のフローチャートを用いて説明する。指のＯＮ／ＯＦＦ発生ステップ（Ｓ３０１）では、判定部２において、指の接触状態のＯＮ状態からＯＦＦ状態、もしくはＯＦＦ状態からＯＮ状態への切り替わり（ＯＮ／ＯＦＦ）を判定する。判定部２において指のＯＮ／ＯＦＦを判定すると、指のＯＮ／ＯＦＦ位置が一定範囲内ステップ（Ｓ３０２）に進む。ステップＳ３０２では、判定部２において、指のＯＮ／ＯＦＦ位置が一定範囲内であるかどうかを判定する。指のＯＮ／ＯＦＦ位置が一定範囲内でない場合は、指のＯＮ／ＯＦＦ回数リセットステップ（Ｓ３０６）に進み、ステップＳ３０６では指のＯＮ／ＯＦＦ回数を０回にリセットする。一方、指のＯＮ／ＯＦＦ位置が一定範囲内である場合は、指のＯＮ／ＯＦＦ周期が一定時間内ステップ（Ｓ３０３）に進む。
【００２９】
ステップＳ３０３では、判定部２において指のＯＮ／ＯＦＦ周期が一定時間内であるかどうかを判定する。指のＯＮ／ＯＦＦ周期が一定時間内でない場合はステップＳ３０６に進み、ステップＳ３０６では指のＯＮ／ＯＦＦ回数を０回にリセットする。一方、指のＯＮ／ＯＦＦ周期が一定時間内である場合は、移動距離が一定値以上ステップ（Ｓ３０４）に進む。
【００３０】
ステップＳ３０４では、判定部２において指の移動距離が一定値以上であるかどうかを判定する。指の移動距離が一定値以上でない場合はステップＳ３０６に進み、ステップＳ３０６では指のＯＮ／ＯＦＦ回数を０回にリセットする。一方、指の移動距離が一定値以上である場合は、指のＯＮ／ＯＦＦ回数カウントアップステップ（Ｓ３０５）に進み、ステップＳ３０５では指のＯＮ／ＯＦＦ回数をカウントアップし、指のＯＮ／ＯＦＦ回数が一定値以上ステップ（Ｓ３０７）に進む。
【００３１】
ステップＳ３０７では、判定部２において、指のＯＮ／ＯＦＦ回数が一定値以上であるかどうかを判定する。指のＯＮ／ＯＦＦ回数が一定値以上でない場合は、ステップＳ３０１に戻り、指のＯＮ／ＯＦＦ回数が一定値以上である場合は、指移動量に対するポインタ移動量を変更ステップ（Ｓ３０８）に進む。
【００３２】
ステップＳ３０８では、判定部２において、一定距離以上かつ一定回数以上の指のＯＮ／ＯＦＦを判定することにより、速度制御部４で速度係数を算出し、指移動量に対するポインタ移動量を変更する。速度制御部４で算出される速度係数の値は、指のＯＮ／ＯＦＦ回数によって変更することもできる。
【００３３】
本実施の形態によれば、前記第二の実施の形態の効果に加えて、ユーザの指のＯＮ／ＯＦＦ周期が一定時間内の場合においてのみ、指移動量に対するポインタ移動量を変更することが可能となる。そのため、ユーザは指のＯＮ状態からＯＦＦ状態までの時間、もしくは指のＯＦＦ状態からＯＮ状態までの時間を長くすることにより、指移動量に対するポインタ移動量を前の状態に戻すことができる。
【産業上の利用可能性】
【００３４】
本発明にかかる座標入力装置および座標入力方法は、一定距離以上かつ一定回数以上の指の接触状態を判定することで、ポインタの移動量の調整を行うことが可能となるため、ポインティング操作に関する座標入力装置等として有用である。
【符号の説明】
【００３５】
１    座標入力部
２    判定部
３    位置決定部
４    速度制御部
５    演算部
６    表示部
【図１】
2011191983.tif 000003
【図２】
2011191983.tif 000004
【図３】
2011191983.tif 000005
【図４】
2011191983.tif 000006
【図５】
2011191983.tif 000007
【図６】
2011191983.tif 000008
【図７】
2011191983.tif 000009
【図８】
2011191983.tif 000010
【図９】
2011191983.tif 000011
【図１０】
2011191983.tif 000012